【手続補正書】
【提出日】平成24年3月8日(2012.3.8)
【手続補正１】
【補正対象書類名】特許請求の範囲
【補正対象項目名】全文
【補正方法】変更
【補正の内容】
【特許請求の範囲】
【請求項１】
雄螺子が形成された軸部を有するアンカーボルトと、
前記軸部の先端部側に設けられ、外径が前記軸部の基端部に向かって漸次縮小するコーン部と、
筒状体の先端部に、縦割り溝によって外方向に拡張するように形成された拡張部を有し、該拡張部の先端部内側に前記コーン部の小径端部を嵌入させた状態で前記軸部に装着される拡張スリーブと、
前記軸部の基端部側に設けられ、前記軸部の外径よりも大径である回転操作部と、
前記軸部に装着される前記拡張スリーブと、前記軸部の基端部側に設けられる前記回転操作部との間で前記軸部に挿通され、前記軸部の軸方向の押圧力によって扁平変形可能な変形部材と、
を備え、
前記回転操作部が回転することに伴い、前記コーン部が前記軸部の基端部方向に移動して前記拡張スリーブの前記拡張部を外方向に拡張させると共に、前記回転操作部が前記軸部の先端部方向に移動して前記変形部材を押圧し、前記変形部材を扁平変形させることによって前記変形部材の一部を前記回転操作部の径方向外側に拡張させることを特徴とするアンカー。
【請求項２】
雄螺子が形成された軸部を有し、前記軸部の基端部に前記軸部の外径よりも大径に形成された回転操作部を有するアンカーボルトと、
前記軸部に挿通される筒状体の先端部に、縦割り溝によって外方向に拡張するように形成された拡張部を有する拡張スリーブと、
外径が前記軸部の軸方向に沿って漸次縮小し、内側に前記軸部に形成された雄螺子と螺合する貫通螺子孔を有し、小径端部が前記拡張スリーブの先端部に嵌入した状態で前記軸部に装着されるコーンナットと、
前記アンカーボルトの回転操作部と前記拡張スリーブとの間で前記軸部に挿通され、前記軸部の軸方向の押圧力によって扁平変形可能な変形部材と、
を備え、
前記アンカーボルトは、前記回転操作部が回転することに伴い、前記軸部を回転させて前記コーンナットを前記拡張スリーブの内側に進入させることにより前記拡張部を外方向に拡張させると共に、前記軸部の螺入進行に伴って前記回転操作が前記変形部材を押圧し、前記変形部材を扁平変形させることによって前記変形部材の一部を前記回転操作部の径方向外側に拡張させることを特徴とするアンカー。
【請求項３】
前記変形部材は、扁平状態を識別可能にするための識別用部材を備え、前記回転操作部からの押圧力によって扁平変形していくことに伴い、前記識別用部材を前記回転操作部の径方向外側へ進出させていくことを特徴とする請求項１又は２に記載のアンカー。
【請求項４】
前記回転操作部の端面にはボルトを装着するための有底の螺子孔が設けられると共に、前記回転操作部の側面には前記螺子孔の底部近傍に連通する貫通孔が設けられており、
前記螺子孔の底部に、ボルト装着に伴って変形する変形材が設けられた構成であり、
前記変形材は、前記ボルト装着に伴って変形することにより、その一部を前記貫通孔から外部に突出させることを特徴とする請求項１乃至３のいずれかに記載のアンカー。
【請求項５】
雄螺子が形成された軸部を有し、前記軸部の先端部に外径が前記軸部の基端部に向かって漸次縮小するコーン部を有するアンカーボルトと、
筒状体の先端部に、縦割り溝によって外方向に拡張するように形成された拡張部を有し、該拡張部の先端部内側に前記コーン部の小径端部を嵌入させた状態で前記軸部に装着される拡張スリーブと、
前記軸部の基端部側において前記軸部に形成された雄螺子に螺合するナット部材と、
前記軸部に装着される前記拡張スリーブと、前記軸部の基端部側に設けられる前記ナット部材との間で前記軸部に挿通され、前記軸部の軸方向の押圧力によって扁平変形可能な変形部材と、
を備え、
前記ナット部材が回転することに伴い、前記コーン部が前記軸部の基端部方向に移動して前記拡張スリーブの前記拡張部を外方向に拡張させると共に、前記ナット部材が前記軸部の先端部方向に移動して前記変形部材を押圧し、前記変形部材を扁平変形させることによって前記変形部材の一部を前記ナット部材の径方向外側に拡張させることを特徴とするアンカー。
【請求項６】
前記変形部材は、扁平状態を識別可能にするための識別用部材を備え、前記ナット部材からの押圧力によって扁平変形していくことに伴い、前記識別用部材を前記ナット部材の径方向外側へ進出させていくことを特徴とする請求項５に記載のアンカー。
【請求項７】
前記ナット部材は、前記軸部に装着される端面とは異なる端面に、前記軸部とは異なるボルトを装着するための螺子孔が設けられ、前記ナット部材の側面には前記螺子孔に連通する貫通孔が設けられると共に、前記螺子孔の内側には前記ボルトの装着に伴って変形する変形材が設けられた構成であり、
前記変形材は、前記ボルトの装着に伴って変形することにより、その一部を前記貫通孔から外部に突出させることを特徴とする請求項５又は６に記載のアンカー。
【請求項８】
前記変形材は、着色された油粘土で構成される軟性材であることを特徴とする請求項４又は７に記載のアンカー。
【請求項９】
前記変形材は、前記螺子孔の底部に装着される装着部と、予め略Ｖ字状に折曲された状態に形成され、一端が前記装着部に固定されると共に他端が前記貫通孔に臨んだ位置に配置される可撓部とを有し、
前記可撓部は、ボルト装着に伴って折曲された部分を展開していくことにより、前記貫通孔に臨んで配置された他端を前記貫通孔から外部に突出させることを特徴とする請求項４又は７に記載のアンカー。
【請求項１０】
前記変形部材は、前記軸部に挿通された状態で前記軸部を挟んで互いに対向する羽根状の拡開部が設けられた拡開部材として構成され、
前記拡開部材は、前記軸部の軸方向の押圧力によって前記拡開部を拡開していくことを特徴とする請求項１乃至９のいずれかに記載のアンカー。
【請求項１１】
アンカーの雄螺子が形成された軸部に装着されるナットであって、
前記ナットの両端面には、前記軸部と、前記軸部とは異なるボルトとを装着するための螺子孔が同軸上に設けられ、前記ナットの側面には、前記螺子孔に連通する貫通孔が設けられており、前記貫通孔が連通する前記螺子孔の内側に、前記ボルトが装着されることに伴って変形する変形材が設けられた構成であり、
前記変形材は、前記ボルトの装着に伴って変形することにより、その一部を前記貫通孔から外部に突出させることを特徴とするナット。
【手続補正２】
【補正対象書類名】明細書
【補正対象項目名】発明の名称
【補正方法】変更
【補正の内容】
【発明の名称】アンカーおよびアンカーに装着されるナット
【手続補正３】
【補正対象書類名】明細書
【補正対象項目名】０００１
【補正方法】変更
【補正の内容】
【０００１】
本発明は、コンクリート建築物や構造物など各種躯体に取り付けられるアンカー、およびアンカーに装着されるナットに関し、特に天井構造物への取り付けに適したアンカーに関する。
【手続補正４】
【補正対象書類名】明細書
【補正対象項目名】００１１
【補正方法】変更
【補正の内容】
【００１１】
そこで本発明は、上記従来の問題点に鑑みてなされたものであり、アンカーの施工状態を簡単に確認できるようにして、施工後の点検作業を効率良く、且つ安全に行えるようにしたアンカー、およびアンカーに装着されるナットを提供することを目的としている。
【手続補正５】
【補正対象書類名】明細書
【補正対象項目名】００１２
【補正方法】変更
【補正の内容】
【００１２】
上記課題を解決するため、本発明にかかるアンカーは、雄螺子が形成された軸部を有するアンカーボルトと、軸部の先端部側に設けられ、外径がその軸部の基端部に向かって漸次縮小するコーン部と、筒状体の先端部に縦割り溝によって外方向に拡張するように形成された拡張部を有し、該拡張部の先端部内側にコーン部の小径端部を嵌入させた状態で軸部に装着される拡張スリーブと、軸部の基端部側に設けられその軸部の外径よりも大径である回転操作部と、軸部に装着される拡張スリーブと軸部の基端部側に設けられる回転操作部との間で軸部に挿通され、軸部の軸方向の押圧力によって扁平変形する変形部材とを備えるものである。そして回転操作部が回転することに伴い、コーン部が軸部の基端部方向に移動して拡張スリーブの拡張部を外方向に拡張させると共に、回転操作部が軸部の先端部方向に移動して変形部材を押圧し、変形部材を扁平変形させることによって変形部材の一部を回転操作部の径方向外側に拡張させることを特徴とする構成である。
【手続補正６】
【補正対象書類名】明細書
【補正対象項目名】００１３
【補正方法】変更
【補正の内容】
【００１３】
このような構成によると、アンカーボルトの軸部の先端部側に設けられたコーン部が、回転操作部が回転することに伴って軸部の基端部方向に移動して拡張スリーブの拡張部を外方向に拡張させるので、コーン部が拡張スリーブの内側から離脱することはなく、アンカーボルトが天井構造物から落下することはない。また、アンカーボルトの軸部の基端部側に設けられた回転操作部は、回転することに伴って軸部の先端部方向に移動して変形部材を押圧し、変形部材を扁平変形させて変形部材の一部を回転操作部の径方向外側に拡張させるので、変形部材の一部が外方向に拡張してアンカーが固定されている状態となっているか否かを、変形部材の拡張状態によって把握することが可能である。
【手続補正７】
【補正対象書類名】明細書
【補正対象項目名】００１４
【補正方法】変更
【補正の内容】
【００１４】
また本発明にかかるアンカーは、雄螺子が形成された軸部を有し、その軸部の基端部に前記軸部の外径よりも大径に形成された回転操作部を有するアンカーボルトと、軸部に挿通される筒状体の先端部に、縦割り溝によって外方向に拡張するように形成された拡張部を有する拡張スリーブと、外径が軸部の軸方向に沿って漸次縮小し、その内側に、軸部に形成された雄螺子と螺合する貫通螺子孔を有し、小径端部が拡張スリーブの先端部に嵌入した状態で軸部に装着されるコーンナットと、アンカーボルトの回転操作部と拡張スリーブとの間で軸部に挿通され、軸部の軸方向の押圧力によって扁平変形可能な変形部材とを備えるものである。そしてアンカーボルトは、回転操作部が回転することに伴い、軸部を回転させてコーンナットを拡張スリーブの内側に進入させることにより拡張部を外方向に拡張させると共に、軸部の螺入進行に伴って回転操作が変形部材を押圧し、変形部材を扁平変形させることによって変形部材の一部を回転操作部の径方向外側に拡張させることを特徴とする構成である。
【手続補正８】
【補正対象書類名】明細書
【補正対象項目名】００１６
【補正方法】変更
【補正の内容】
【００１６】
また、このような構成でも、アンカーボルトは回転操作部が回転することにより、軸部を螺入進行させるので、それに伴い、基端部が変形部材を押圧し、変形部材を扁平変形させることによって変形部材の一部を回転操作部の径方向外側に拡張させる。そのため、拡張スリーブの拡張部が外方向に拡張してアンカーが固定されている状態となっているか否かを、変形部材の拡張状態によって把握することが可能であり、アンカー施工後は、目視によってその施工状態を点検することができるようになる。特に、変形部材の一部が回転操作部の径方向外側に拡張した状態は、アンカーの遠くからでも目視により確認することができるようになる。
上記アンカーは、変形部材として、扁平状態を識別可能にするための識別用部材を備え、回転操作部からの押圧力によって扁平変形していくことに伴い、その識別用部材を回転操作部の径方向外側へ進出させていく構成を採用するようにしても良い。
上記アンカーは、回転操作部の端面にはボルトを装着するための有底の螺子孔が設けられると共に、回転操作部の側面にはその螺子孔の底部近傍に連通する貫通孔が設けられており、その螺子孔の底部に、ボルト装着に伴って変形する変形材が設けられた構成であり、その変形材が、ボルト装着に伴って変形することにより、その一部を貫通孔から外部に突出させる構成を採用するようにしても良い。
【手続補正９】
【補正対象書類名】明細書
【補正対象項目名】００１７
【補正方法】変更
【補正の内容】
【００１７】
また、上記アンカーは、回転操作部の端面にはボルトを装着するための有底の螺子孔が設けられると共に、回転操作部の側面にはその螺子孔の底部近傍に連通する貫通孔が設けられており、その螺子孔の底部に、ボルト装着に伴って変形する変形材が設けられた構成であり、その変形材が、ボルト装着に伴って変形することにより、その一部を貫通孔から外部に突出させる構成を採用するようにしても良い。
【手続補正１０】
【補正対象書類名】明細書
【補正対象項目名】００２０
【補正方法】変更
【補正の内容】
【００２０】
また本発明にかかるアンカーは、雄螺子が形成された軸部を有し、その軸部の先端部に外径が軸部の基端部に向かって漸次縮小するコーン部を有するアンカーボルトと、筒状体の先端部に、縦割り溝によって外方向に拡張するように形成された拡張部を有し、該拡張部の先端部内側にコーン部の小径端部を嵌入させた状態で軸部に装着される拡張スリーブと、軸部の基端部側において軸部に形成された雄螺子に螺合するナット部材と、軸部に装着される拡張スリーブと軸部の基端部側に設けられるナット部材との間で軸部に挿通され、軸部の軸方向の押圧力によって扁平変形可能な変形部材と、を備えるものである。そしてナット部材が回転することに伴い、コーン部を軸部の基端部方向に移動させて拡張スリーブの前記拡張部を外方向に拡張させると共に、ナット部材が軸部の先端部方向に移動して変形部材を押圧し、変形部材を扁平変形させることによって変形部材の一部をナット部材の径方向外側に拡張させることを特徴とする構成である。
【手続補正１１】
【補正対象書類名】明細書
【補正対象項目名】００２２
【補正方法】変更
【補正の内容】
【００２２】
また、このような構成では、ナット部材が回転することにより、そのナット部材が軸部の先端部方向に移動して変形部材を押圧し、変形部材を扁平変形させることによって変形部材の一部をナット部材の径方向外側に拡張させるようになっている。そのため、拡張スリーブの拡張部が外方向に拡張してアンカーが固定されている状態となっているか否かを、変形部材の拡張状態によって把握することが可能であり、アンカー施工後は、目視によってその施工状態を点検することができるようになる。特に、変形部材の拡張状態は、アンカーの遠くからでも目視により確認することができるようになる。
上記アンカーは、変形部材として、扁平状態を識別可能にするための識別用部材を備え、ナット部材からの押圧力によって扁平変形していくことに伴い、その識別用部材をナット部材の径方向外側へ進出させていく構成を採用するようにしても良い。
上記アンカーにおいては、ナット部材を、軸部に装着される端面とは異なる端面に、軸部とは異なるボルトを装着するための螺子孔が設けられ、ナット部材の側面にはその螺子孔に連通する貫通孔が設けられると共に、螺子孔の内側にはボルトの装着に伴って変形する変形材が設けられたものとし、変形材がボルトの装着に伴って変形することにより、その一部を貫通孔から外部に突出させる構成を採用するようにしても良い。
上記アンカーにおいて、ボルトの装着に伴って変形する変形材は、例えば着色された油粘土で構成される軟性材である。また、変形材は、螺子孔の底部に装着される装着部と、予め略Ｖ字状に折曲された状態に形成され、一端が装着部に固定されると共に他端が貫通孔に臨んだ位置に配置される可撓部とを有し、可撓部がボルト装着に伴って折曲された部分を展開していくことにより、貫通孔に臨んで配置された他端を貫通孔から外部に突出させる構成を採用しても良い。
また上記アンカーにおいて、変形部材は、軸部に挿通された状態で軸部を挟んで互いに対向する羽根状の拡開部が設けられた拡開部材として構成され、拡開部材が軸部の軸方向の押圧力によって拡開部を拡開していく構成を採用するようにしても良い。
【手続補正１２】
【補正対象書類名】明細書
【補正対象項目名】００２４
【補正方法】変更
【補正の内容】
【００２４】
このような構成によれば、アンカー施工後に目視によってその施工状態を点検する際、比較的容易に羽根状の拡開部の拡開状態を確認することができるようになる。
また本発明にかかる、アンカーに装着されるナットは、アンカーの雄螺子が形成された軸部に装着されるナットであって、ナットの両端面には、軸部と、軸部とは異なるボルトとを装着するための螺子孔が同軸上に設けられ、ナットの側面には、螺子孔に連通する貫通孔が設けられており、貫通孔が連通する螺子孔の内側に、ボルトが装着されることに伴って変形する変形材が設けられ、変形材がボルトの装着に伴って変形することにより、その一部を貫通孔から外部に突出させる構成である。
このような構成によれば、ナットがアンカーの軸部に装着された状態でさらにボルト装着が行われる場合、ナットの側面に設けられた貫通孔から変形材が出現しているか否かを確認することにより、そのボルトの装着状態を目視で確認できるようになる。
【手続補正１３】
【補正対象書類名】明細書
【補正対象項目名】００２５
【補正方法】変更
【補正の内容】
【００２５】
本発明にかかるアンカーによれば、コーンナットがアンカーボルトの軸部に螺合しているので、アンカーボルトが抜け落ちることはない。そしてアンカー施工時には、軸部の螺入進行に伴ってアンカーボルトの基端部が変形部材を押圧して変形部材を扁平変形させた状態となっているので、施工後に変形部材の拡張状態を視認することによりアンカーの施工状態を確認することができる。したがって、アンカーの施工状態を簡単に確認することが可能であり、施工後の点検作業を効率良く、且つ安全に行うことができる。
【手続補正１４】
【補正対象書類名】明細書
【補正対象項目名】００２９
【補正方法】変更
【補正の内容】
【００２９】
本実施形態におけるアンカー１は、アンカーボルト２と、Ｖ字状の拡開部材（扁平変形可能な変形部材）３と、拡張スリーブ４と、コーンナット５とを備える構成である。このアンカー１は、コンクリート建築物や構造物など各種躯体に取り付けられるアンカーであり、特に天井構造物への取り付けに適したものである。
【手続補正１５】
【補正対象書類名】明細書
【補正対象項目名】００８６
【補正方法】変更
【補正の内容】
【００８６】
Ｓ  躯体
Ｈ  孔
１，１ａ  アンカー
２  アンカーボルト
３  拡開部材（変形部材）
４  拡張スリーブ
５  コーンナット（コーン部）
６  コーン部
７  回転操作部
９  変形材
２１  ナット部（回転操作部）
２３  軸部
２４  螺子孔
２５  貫通孔
２７  ナット部材（回転操作部）
３４  拡開部
３６  識別用部材
４３  拡張部
７３  拡開部
９１  軟性材
９２  部品